(57)【要約】【課題】ユーザ装置の処理能力に応じて、ユーザ装置に信号受信品質の測定をさせることが可能な技術を提供する。【解決手段】基地局とユーザ装置とを備える移動通信システムにおいて、前記基地局と通信するユーザ装置であって、前記基地局に、信号受信品質を同時に測定できるキャリア数の能力を示す能力情報を通知する通知手段と、前記基地局から、信号受信品質の報告対象である１以上のキャリアが指定された測定設定情報を受信し、前記測定設定情報に基づいて、前記報告対象である１以上のキャリアの各々の信号受信品質を測定し、測定結果を含む測定報告情報を前記基地局に送信する測定制御手段と、を有するユーザ装置を提供する。【選択図】図６
2016213805.tif 000002
【特許請求の範囲】
【請求項１】
基地局とユーザ装置とを備える移動通信システムにおいて、前記基地局と通信するユーザ装置であって、
前記基地局に、信号受信品質を同時に測定できるキャリア数の能力を示す能力情報を通知する通知手段と、
前記基地局から、信号受信品質の報告対象である１以上のキャリアが指定された測定設定情報を受信し、前記測定設定情報に基づいて、前記報告対象である１以上のキャリアの各々の信号受信品質を測定し、測定結果を含む測定報告情報を前記基地局に送信する測定制御手段と、
を有するユーザ装置。
【請求項２】
前記通知手段は、信号受信品質を同時に測定できるキャリア数を含む前記能力情報、又は、キャリアアグリゲーション処理中のコンポーネントキャリアの数と、信号受信品質を同時に測定可能なキャリア数とが対応づけられた情報を含む前記能力情報を、前記基地局に通知する、請求項１に記載のユーザ装置。
【請求項３】
前記信号受信品質を同時に測定できるキャリア数は、所定のリソースブロック数の帯域において全ＯＦＤＭシンボルを用いてＲＳＲＱの測定を行った場合にＲＳＲＱを同時に測定できるキャリア数、所定のリソースブロック数の帯域よりも広いリソースブロック数の帯域において全ＯＦＤＭシンボルを用いてＲＳＲＱの測定を行った場合にＲＳＲＱを同時に測定できるキャリア数、所定のリソースブロック数の帯域よりも広いリソースブロック数の帯域において所定のＯＦＤＭシンボルでＲＳＲＱの測定を行った場合にＲＳＲＱを同時に測定できるキャリア数、ＲＳ−ＳＩＮＲを同時に測定できるキャリア数、所定のリソースブロック数の帯域において全ＯＦＤＭシンボルを用いてＲＳＲＱの測定を行った場合にＲＳＲＱとＲＳ−ＳＩＮＲとを同時に測定できるキャリア数、所定のリソースブロック数の帯域よりも広いリソースブロック数の帯域において全ＯＦＤＭシンボルを用いてＲＳＲＱの測定を行った場合にＲＳＲＱとＲＳ−ＳＩＮＲとを同時に測定できるキャリア数、及び、所定のリソースブロック数の帯域よりも広いリソースブロック数の帯域において所定のＯＦＤＭシンボルでＲＳＲＱの測定を行った場合にＲＳＲＱとＲＳ−ＳＩＮＲとを同時に測定できるキャリア数のうちいずれか1つを含む、請求項１又は２に記載のユーザ装置。
【請求項４】
前記測定制御手段は、前記報告対象である１以上のキャリアの各々の信号受信品質を、所定のリソースブロック数の帯域における全ＯＦＤＭシンボル、所定のリソースブロック数の帯域よりも広いリソースブロック数の帯域における全ＯＦＤＭシンボル、又は、所定のリソースブロック数の帯域よりも広いリソースブロック数の帯域において所定のＯＦＤＭシンボルを用いて測定する、請求項１乃至３のいずれか一項に記載のユーザ装置。
【請求項５】
前記測定設定情報には、前記報告対象である１以上のキャリアと、前記報告対象である１以上のキャリアの各々に対する信号受信品質の測定方法を示すパラメータとが対応づけられて格納され、
前記測定制御手段は、前記パラメータで指定された測定方法に従って、前記報告対象である１以上のキャリアの各々の信号受信品質を測定する、請求項１乃至３のいずれか一項に記載のユーザ装置。
【請求項６】
基地局とユーザ装置とを備える移動通信システムにおいて、前記ユーザ装置と通信する基地局であって、
前記ユーザ装置から、前記ユーザ装置が信号受信品質を同時に測定できるキャリア数の能力を示す能力情報を受信する受信手段と、
前記能力情報に基づいて、信号受信品質の報告対象である１以上のキャリアを指定する測定設定情報を、前記ユーザ装置に送信する送信手段と、
を有する基地局。
【請求項７】
前記測定設定情報は、所定のリソースブロック数の帯域における全ＯＦＤＭシンボル、所定のリソースブロック数の帯域よりも広いリソースブロック数の帯域における全ＯＦＤＭシンボル、又は、所定のリソースブロック数の帯域よりも広いリソースブロック数の帯域において所定のＯＦＤＭシンボルを用いて信号受信品質の測定を行うことを指示する情報を含む、請求項６に記載の基地局。
【請求項８】
前記測定設定情報には、前記報告対象である１以上のキャリアと、前記報告対象である１以上のキャリアの各々に対する信号受信品質の測定方法を示すパラメータとが対応づけられて格納されている、請求項６に記載の基地局。
【請求項９】
基地局とユーザ装置とを備える移動通信システムにおける前記ユーザ装置が実行する品質測定方法であって、
前記基地局に、信号受信品質を同時に測定できるキャリア数の能力を示す能力情報を通知する通知ステップと、
前記基地局から、信号受信品質の報告対象である１以上のキャリアが指定された測定設定情報を受信し、前記測定設定情報に基づいて、前記報告対象である１以上のキャリアの各々の信号受信品質を測定し、測定結果を含む測定報告情報を前記基地局に送信する測定制御ステップと、
を有する品質測定方法。
【請求項１０】
基地局とユーザ装置とを備える移動通信システムにおける前記基地局が実行する品質測定キャリア指定方法であって、
前記ユーザ装置から、前記ユーザ装置が信号受信品質を同時に測定できるキャリア数の能力を示す能力情報を受信する受信ステップと、
前記能力情報に基づいて、信号受信品質の報告対象である１以上のキャリアを指定する測定設定情報を、前記ユーザ装置に送信する送信ステップと、
を有する品質測定キャリア指定方法。
【発明の詳細な説明】
【技術分野】
【０００１】
本発明は、ユーザ装置、基地局、品質測定方法及び品質測定キャリア指定方法に関する。
【背景技術】
【０００２】
ＬＴＥ方式の移動通信システムにおいては、ＲＲＣアイドル（ｉｄｌｅ）状態のユーザ装置ＵＥが、在圏セルの基地局ｅＮＢや周辺セルの基地局ｅＮＢから送信される信号のＲＳＲＰ（Ｒｅｆｅｒｅｎｃｅ  Ｓｉｇｎａｌ  Ｒｅｃｅｉｖｅ  Ｐｏｗｅｒ）／ＲＳＲＱ（Ｒｅｆｅｒｅｎｃｅ  Ｓｉｇｎａｌ  Ｒｅｃｅｉｖｅｄ  Ｑｕａｌｉｔｙ）を測定し、測定結果に基づいて、セル選択（ｃｅｌｌ  ｓｅｌｅｃｔｉｏｎ）やセル再選択（ｃｅｌｌ  ｒｅｓｅｌｅｃｔｉｏｎ）を行う（例えば非特許文献１参照）。
【０００３】
また、ＲＲＣ接続（ｃｏｎｎｅｃｔｅｄ）状態のユーザ装置ＵＥが、在圏セルの基地局ｅＮＢや周辺セルの基地局ｅＮＢから送信される信号のＲＳＲＰ／ＲＳＲＱを測定し、測定結果を測定報告（ｍｅａｓｕｒｍｅｎｔ  ｒｅｐｏｒｔ）として基地局ｅＮＢに通知し、当該基地局ｅＮＢが、測定報告に基づいて、例えばハンドオーバの制御を行う（例えば非特許文献２参照）。
【先行技術文献】
【非特許文献】
【０００４】
【非特許文献１】３ＧＰＰ  ＴＳ  ３６．３０４  Ｖ１２．４．０  （２０１５−０３）
【非特許文献２】３ＧＰＰ  ＴＳ  ３６．３３１  Ｖ１２．５．０  （２０１５−０３）
【非特許文献３】３ＧＰＰ  ＴＳ  ３６．２１４  Ｖ１２．２．０  （２０１５−０３）
【特許文献】
【０００５】
【特許文献１】特許第５４５３５５４号
【発明の概要】
【発明が解決しようとする課題】
【０００６】
上述したようにユーザ装置ＵＥが測定するＲＳＲＰは、非特許文献３において定義されている通りであり、測定周波数帯域（ｃｏｎｓｉｄｅｒｅｄ  ｍｅａｓｕｒｅｍｅｎｔ  ｆｒｅｑｕｅｎｃｙ  ｂａｎｄｗｉｄｔｈ）における参照信号（ＣＲＳ）を運ぶリソースエレメントの電力の平均である。
【０００７】
また、ＲＳＲＱは、非特許文献３において定義されている通りであり、「Ｎ×ＲＳＲＰ／ＲＳＳＩ」により算出（測定）される。ここで、Ｎは、ＲＳＳＩの測定帯域（Ｅ−ＵＴＲＡ  ｃａｒｒｉｅｒ  ＲＳＳＩ  ｍｅａｓｕｒｅｍｅｎｔ  ｂａｎｄｗｉｄｔｈ）のリソースブロック数である。また、ＲＳＲＱにおけるＲＳＲＰとＲＳＳＩの測定は、同一リソースブロックのセットにおいて行うのが基本である。なお、ＲＳＳＩはＲｅｃｅｉｖｅｄ  Ｓｉｇｎａｌ  Ｓｔｒｅｎｇｔｈ  Ｉｎｄｉｃａｔｏｒの略であり、サービングセル（在圏セル）からの希望信号、隣接セルからの干渉信号、熱雑音による雑音信号等の全ての信号の受信電力の合計である。
【０００８】
ＲＳＲＱの測定方法について図１を参照して説明する。図１（ａ）は従来の（現在の）ＲＳＲＱの測定方法を説明するための図である。従来のＲＳＲＱの測定においては、ＬＴＥで利用される帯域の中央の６リソースブロック分のＲＳＲＰ／ＲＳＳＩを測定する。ＲＳＳＩについては、ＲＳＲＰ測定対象の参照信号がマッピングされているＯＦＤＭシンボルが測定対象となる。図１（ａ）には、セル＃１及びセル＃２について、ＲＳＳＩ測定対象のＯＦＤＭシンボル（四角で囲まれた部分に含まれるＯＦＤＭシンボル）が示されている。この従来のＲＳＲＱを用いたセル選択等がＬＴＥのＲｅｌ９で導入されたことから、当該ＲＳＲＱを便宜上、Ｒｅｌ９ＲＳＲＱと呼ぶ。
【０００９】
従来のＲＳＲＱの測定方法としては、上記のように、６リソースブロック分のＲＳＲＰ／ＲＳＳＩを測定する方法に加えて、６リソースブロックよりも広い帯域でＲＳＲＱを測定する方法がある（例えば特許文献１等参照）。当該ＲＳＲＱを便宜上、広帯域ＲＳＲＱと呼ぶ。広い帯域（帯域幅）の一例は、５０リソースブロック分の帯域又はそれ以上の帯域である。
【００１０】
一方、新たなＲＳＲＱ測定方法として、図１（ｂ）に示すように、ＲＳＳＩの測定を、参照信号がマッピングされたＯＦＤＭシンボルに限らず、全ＯＦＤＭシンボルで行う方法が提案されている。ただし、具体的には、全ＯＦＤＭシンボルにおけるＲＳＳＩとは、１ＯＦＤＭシンボルあたりの平均ＲＳＳＩである。新しい測定方法に係るＲＳＲＱを便宜上、全シンボルＲＳＲＱと呼ぶ。
【００１１】
新しいＲＳＲＱ測定方法は、上述のＲｅｌ９ＲＳＲＱによる測定方法及び広帯域ＲＳＲＱによる測定方法の両方に適用することができる。すなわち、全シンボルＲＳＲＱによる測定方法には、Ｒｅｌ９ＲＳＲＱにおいて６リソースブロック分のＲＳＲＰ／ＲＳＳＩを測定する際に全ＯＦＤＭシンボルを対象に測定を行う方法（全シンボルＲＳＲＱをＲｅｌ９ＲＳＲＱに適用した測定方法）、及び、広帯域ＲＳＲＱにおいて６リソースブロックよりも広い帯域でＲＳＲＱを測定する際に全ＯＦＤＭシンボルを対象に測定を行う方法（全シンボルＱＳＱＲを広帯域ＲＳＲＱに適用した測定方法）の２つの測定方法がある。なお、以下の説明において、特に断りがない限り、全シンボルＲＳＲＱによる測定方法とは、全シンボルＲＳＲＱをＲｅｌ９ＲＳＲＱに適用した測定方法又は／及び全シンボルＱＳＱＲを広帯域ＲＳＲＱに適用した測定方法を意味する。
【００１２】
図２は、基地局からユーザ装置に送信される測定オブジェクト（Ｍｅａｓｕｒｅｍｅｎｔ  Ｏｂｊｅｃｔｓ）を説明するための図である。図２（ａ）は、測定オブジェクトの設定例を示しており、図２（ｂ）は、測定オブジェクトに設定される設定値の説明例を示している。
【００１３】
図２に示す測定オブジェクトの「ｍｅａｓＲＳＲＱ−Ａｌｌｓｙｍｂｏｌ」がＴｒｕｅに設定されたＲＲＣ信号を受信したユーザ装置ＵＥは、ＲＳＲＱを測定する際に、新たなＲＳＲＱ測定方法（全シンボルＲＳＲＱによる測定方法）を用いてＲＳＲＱの測定を行うことになる。
【００１４】
上述の新たなＲＳＲＱ測定方法は、従来のＲＳＲＱ測定方法よりも多くのＯＦＤＭシンボルを対象に測定を行う。従って、新たなＲＳＲＱ測定方法は、従来のＲＳＲＱ測定方法と比較して、ユーザ装置ＵＥのＣＰＵ負荷及びメモリ使用量等に与える影響が大きいことが想定される。
【００１５】
また、従来の（現在の）ユーザ装置ＵＥは、例えばＬＴＥ在圏中に、同時に最大３つの異周波数ＬＴＥキャリア（ＦＤＤ若しくはＴＤＤ）のＲＳＲＱを測定する能力を担保することが３ＧＰＰの仕様で規定されていたが、ＬＴＥのリリース１２では、ＬＴＥ在圏中のユーザ装置ＵＥは、例えばＬＴＥ在圏中に、同時に最大８つの異周波数ＬＴＥキャリア（ＦＤＤ若しくはＴＤＤ）のＲＳＲＱを測定する能力を担保するように規定が拡張されている。更に、現在のキャリアアグリゲーション（ＣＡ：Ｃａｒｒｉｅｒ  Ａｇｇｒｅｇａｔｉｏｎ）の仕様では、最大５ＣＣ（Ｃｏｍｐｏｎｅｎｔ  Ｃａｒｒｉｅｒ）までのキャリアを束ねることが規定されている。また、将来的には、例えば最大で３２ＣＣといったように、更に多くのＣＣを束ねるようにすることが検討されている。また、ユーザ装置ＵＥは、ＣＡ中の各ＣＣについては必ずＲＳＲＱの測定を行う必要がある。このような状況下において新たなＲＳＲＱ測定方法が導入されると、ユーザ装置ＵＥのＣＰＵ負荷及びメモリ使用量等に与える影響は、更に大きくなることが想定される。
【００１６】
ユーザ装置ＵＥは、ＲＳＲＱを測定するキャリアを自ら選択するのではなく、基地局ｅＮＢから（報知情報又はＲＲＣ信号により）指示を受けて、指示されたキャリアのＲＳＲＱを測定している。そこで、ユーザ装置ＵＥのＣＰＵ負荷及びメモリ使用量等に与える影響を軽減させるために、基地局ｅＮＢは、ユーザ装置ＵＥの処理能力を考慮してＲＳＲＱ測定対象のキャリアを指示する方法が考えられる。しかしながら、従来技術では、ユーザ装置ＵＥは、自身の処理能力に応じて、ＲＳＲＱを同時に測定可能なキャリア数を基地局ｅＮＢに通知することができない。また、基地局ｅＮＢは、ユーザ装置ＵＥが同時に測定可能なキャリア数を把握していないため、ユーザ装置ＵＥの処理能力に応じた数のＲＳＲＱ測定対象のキャリアを指定することができない。
【００１７】
開示の技術は上記に鑑みてなされたものであって、ユーザ装置の処理能力に応じて、ユーザ装置に信号受信品質の測定をさせることが可能な技術を提供することを目的とする。
【課題を解決するための手段】
【００１８】
開示の技術のユーザ装置は、基地局とユーザ装置とを備える移動通信システムにおいて、前記基地局と通信するユーザ装置であって、前記基地局に、信号受信品質を同時に測定できるキャリア数の能力を示す能力情報を通知する通知手段と、前記基地局から、信号受信品質の報告対象である１以上のキャリアが指定された測定設定情報を受信し、前記測定設定情報に基づいて、前記報告対象である１以上のキャリアの各々の信号受信品質を測定し、測定結果を含む測定報告情報を前記基地局に送信する測定制御手段と、を有する。
【００１９】
また、開示の技術の基地局は、基地局とユーザ装置とを備える移動通信システムにおいて、前記ユーザ装置と通信する基地局であって、前記ユーザ装置から、前記ユーザ装置が信号受信品質を同時に測定できるキャリア数の能力を示す能力情報を受信する受信手段と、前記能力情報に基づいて、信号受信品質の報告対象である１以上のキャリアを指定する測定設定情報を、前記ユーザ装置に送信する送信手段と、を有する
【発明の効果】
【００２０】
開示の技術によれば、ユーザ装置の処理能力に応じて、ユーザ装置に信号受信品質の測定をさせることが可能な技術が提供される。
【図面の簡単な説明】
【００２１】
【図１】ＲＳＲＱの新しい測定方法を説明するための図である。
【図２】ユーザ装置に送信される測定オブジェクト（Ｍｅａｓｕｒｅｍｅｎｔ  Ｏｂｊｅｃｔｓ）を説明するための図である。
【図３】実施の形態に係る移動通信システムの構成の一例を示す図である。
【図４】実施の形態に係るユーザ装置の機能構成の一例を示す図である。
【図５】実施の形態に係る基地局の機能構成の一例を示す図である。
【図６】実施の形態に係る移動通信システムが行う処理手順の一例を示すシーケンス図である。
【図７】実施の形態に係る能力情報の一例を示す図である。
【図８】実施の形態に係る移動通信システムが行う具体的なシーケンスを示す図である。
【発明を実施するための形態】
【００２２】
以下、図面を参照して本発明の実施の形態を説明する。なお、以下で説明する実施の形態は一例に過ぎず、本発明が適用される実施の形態は、以下の実施の形態に限られるわけではない。例えば、本実施の形態の移動通信システムは、ＬＴＥに対応しているが、本発明はＬＴＥに限らず、他の方式にも適用可能である。また、本明細書及び特許請求の範囲では、特に断らない限り、「ＬＴＥ」の用語は３ＧＰＰのＲｅｌ−１２、もしくは、Ｒｅｌ−１２以降の方式の意味で使用する。また、以下の実施の形態では、信号受信品質の例としてＲＳＲＱ及び後述するＲＳ−ＳＩＮＲ（Ｒｅｆｅｒｅｎｃｅ  Ｓｉｇｎａｌ−Ｓｉｇｎａｌ  ｔｏ  Ｉｎｔｅｒｆｅｒｅｎｃｅ  ａｎｄ  Ｎｏｉｓｅ  Ｒａｔｉｏ）を用いているが、本発明に係る信号受信品質は、ＲＳＲＱ及びＲＳ−ＳＩＮＲに限られるわけではない。
【００２３】
＜概要＞
図３は、実施の形態に係る移動通信システムの構成の一例を示す図である。図３に示すように、本実施の形態の移動通信システムは、基地局ｅＮＢとユーザ装置ＵＥを含む。図３には、基地局ｅＮＢとユーザ装置ＵＥが１つずつ示されているが、これは例であり、それぞれ複数あってもよい。また、図３には、ユーザ装置ＵＥが、基地局ｅＮＢにより形成されるセルに在圏していることを示しているが、これも例である。
【００２４】
ユーザ装置ＵＥは、無線を通じて基地局ｅＮＢ及び他のユーザ装置ＵＥ等と通信を行う機能を有する。ユーザ装置ＵＥは、例えば、携帯電話、スマートフォン、タブレット、モバイルルータ、ウェアラブル端末などである。ユーザ装置ＵＥは、通信機能を有する機器であれば、どのようなユーザ装置であってもよい。ユーザ装置ＵＥは、プロセッサなどのＣＰＵ、ＲＯＭ、ＲＡＭ又はフラッシュメモリなどのメモリ装置、基地局ｅＮＢと通信するためのアンテナ、ＲＦ（Radio Frequency）装置などのハードウェアリソースにより構成される。ユーザ装置ＵＥの各機能及び処理は、メモリ装置に格納されているデータやプログラムをプロセッサが処理又は実行することによって実現されてもよい。しかしながら、ユーザ装置ＵＥは、上述したハードウェア構成に限定されず、他の何れか適切なハードウェア構成を有してもよい。
【００２５】
基地局ｅＮＢは、無線を通じてユーザ装置ＵＥとの間で通信を行う。基地局ｅＮＢは、プロセッサなどのＣＰＵ、ＲＯＭ、ＲＡＭ又はフラッシュメモリなどのメモリ装置、ユーザ装置ＵＥ等と通信するためのアンテナ、隣接する基地局等と通信するための通信インタフェース装置などのハードウェアリソースにより構成される。基地局ｅＮＢの各機能及び処理は、メモリ装置に格納されているデータやプログラムをプロセッサが処理又は実行することによって実現されてもよい。しかしながら、基地局ｅＮＢは、上述したハードウェア構成に限定されず、他の何れか適切なハードウェア構成を有してもよい。
【００２６】
本実施の形態に係る移動通信システムにおいて、ユーザ装置ＵＥは、自身の処理能力に応じて同時に信号受信品質を測定可能なキャリア数を基地局ｅＮＢに通知する。なお、基地局ｅＮＢに通知するキャリア数は、予めユーザ装置ＵＥ内に設定されていてもよいし、所定の方法によりユーザ装置ＵＥで計算されるようにしてもよい。
【００２７】
ここで、本実施の形態に係るユーザ装置ＵＥは、無線リンクのモニタリングのため、ＰＤＣＣＨ（Ｐｈｙｓｉｃａｌ  Ｄｏｗｎｌｉｎｋ  Ｃｏｎｔｒｏｌ  Ｃｈａｎｎｅｌ）又は／及びＰＤＳＣＨ（Ｐｈｙｓｉｃａｌ  Ｄｏｗｎｌｉｎｋ  Ｓｈａｒｅｄ  Ｃｈａｎｎｅｌ）に含まれるＲＳ（Ｒｅｆｅｒｅｎｃｅ  Ｓｉｇｎａｌ）のＳＩＮＲを測定する。ＳＩＮＲの測定対象であるＲＳには、ＣＲＳ（Ｃｅｌｌ  ｓｐｅｃｉｆｉｃ  Ｒｅｆｅｒｅｎｃｅ  Ｓｉｇｎａｌ）及びＣＳＩ‐ＲＳ（Ｃｈａｎｎｅｌ  Ｓｔａｔｅ  Ｉｎｆｏｒｍａｔｉｏｎ−Ｒｅｆｅｒｅｎｃｅ  Ｓｉｇｎａｌ）が含まれる。本実施の形態では、測定されたＳＩＮＲを、「ＲＳ−ＳＩＮＲ」と呼ぶ。ＳＩＮＲと各セルで実現可能なスループットとは、概ね線形に比例することが知られている。従って、基地局ｅＮＢは、ＲＳ−ＳＩＮＲを用いることで各セルで実現可能なスループットを考慮したハンドオーバ制御を行うことができるようになる。
【００２８】
続いて、基地局ｅＮＢは、ユーザ装置ＵＥが同時に信号受信品質を測定可能なキャリア数の範囲内で信号受信品質を測定させるキャリアを決定して、ユーザ装置ＵＥに指示する。ユーザ装置ＵＥは、指示されたキャリアの信号受信品質を測定して基地局ｅＮＢに送信する。
【００２９】
これにより、本実施の形態に係る移動通信システムは、ユーザ装置ＵＥのＣＰＵ負荷及びメモリ使用量に与える影響を考慮し、ユーザ装置ＵＥの処理能力の範囲で、ユーザ装置ＵＥに信号受信品質の測定をさせることができる。
【００３０】
＜機能構成＞
以下、本発明の実施の形態の動作を実行するユーザ装置ＵＥと基地局ｅＮＢとの機能構成例を説明する。
【００３１】
（ユーザ装置）
図４は、実施の形態に係るユーザ装置の機能構成の一例を示す図である。図４に示すように、ユーザ装置ＵＥは、ＤＬ信号受信部１０１、ＵＬ信号送信部１０２、測定制御部１０３、能力通知部１０４を備える。なお、図４は、ユーザ装置ＵＥにおいて本発明に特に関連する機能部のみを示すものであり、ユーザ装置ＵＥは、少なくともＬＴＥに準拠した動作を行うための図示しない機能も有するものである。
【００３２】
ＤＬ信号受信部１０１は、基地局ｅＮＢから各種の下り信号を受信し、受信した物理レイヤの信号からより上位のレイヤの情報を取得する機能を含み、ＵＬ信号送信部１０２は、ユーザ装置ＵＥから送信されるべき上位のレイヤの情報から、物理レイヤの各種信号を生成し、基地局ｅＮＢに対して送信する機能を含む。
【００３３】
測定制御部１０３は、Ｒｅｌ９ＲＳＲＱによる測定機能と広帯域ＲＳＲＱによる測定機能と全シンボルＲＳＲＱによる測定機能とを含む。また、測定制御部１０３は、基地局ｅＮＢから受信したＲＲＣ信号に含まれるパラメータにより指示された測定方法（Ｒｅｌ９ＲＳＲＱ、広帯域ＲＳＲＱ又は全シンボルＲＳＲＱによる測定方法）に応じて、指定された各キャリアの信号受信品質を測定する。また、測定制御部１０３は、測定結果を含む測定報告情報を、ＵＬ信号送信部１０２を介して基地局ｅＮＢに送信する。
【００３４】
能力通知部１０４は、ユーザ装置ＵＥ自身が同時に信号受信品質を測定可能なキャリア数を示す情報（以下、「能力情報」という）を基地局ｅＮＢに通知する。なお、基地局ｅＮＢに通知するキャリア数は、予めユーザ装置ＵＥ内に設定されていてもよいし、所定の方法によりユーザ装置ＵＥで計算されるようにしてもよい。
【００３５】
（基地局）
図５は、実施の形態に係る基地局の機能構成の一例を示す図である。図５に示すように、基地局ｅＮＢは、ＤＬ信号送信部２０１、ＵＬ信号受信部２０２、ＲＲＣ接続制御部２０３を有する。なお、図５は、基地局ｅＮＢにおいて本発明の実施の形態に特に関連する機能部のみを示すものであり、基地局ｅＮＢは、少なくともＬＴＥ方式に準拠した動作を行うための図示しない機能も有するものである。
【００３６】
ＤＬ信号送信部２０１は、基地局ｅＮＢから送信されるべき上位のレイヤの情報から、物理レイヤの各種信号を生成し、送信する機能を含む。ＵＬ信号受信部２０２は、ユーザ装置ＵＥから各種の上り信号を受信し、受信した物理レイヤの信号からより上位のレイヤの情報を取得する機能を含む。
【００３７】
ＲＲＣ接続制御部２０３は、ＲＲＣ接続手順を実行する。すなわち、ＲＲＣ接続制御部２０３は、能力情報をＵＬ信号受信部２０２を介してユーザ装置ＵＥから受信し、当該能力情報に基づいて、全シンボルＲＳＲＱにより測定された信号受信品質の報告対象である１以上のキャリアを指示する情報が含まれる測定設定情報を、ＤＬ信号送信部２０１を介してユーザ装置ＵＥに送信する機能を含む。
【００３８】
＜処理手順＞
図６は、実施の形態に係る移動通信システムが行う処理手順の一例を示すシーケンス図である。図６を用いて、実施の形態に係る移動通信システムが行う一連の処理手順について説明する。
【００３９】
ステップＳ１０１で、ユーザ装置ＵＥの能力通知部１０４は、ＵＬ信号送信部１０２を介して能力情報報告信号を基地局ｅＮＢに送信する。能力情報報告信号には、能力情報が含まれている。基地局ｅＮＢのＵＬ信号受信部２０２は、受信した能力情報をＲＲＣ接続制御部２０３に渡す。
【００４０】
能力通知部１０４は、例えば図７（１）に示すように、全シンボルＲＳＲＱをＲｅｌ９ＲＳＲＱに適用した測定方法を用いた場合に、ユーザ装置ＵＥが同時にＲＳＲＱを測定可能なキャリア数を能力情報に含めて基地局ｅＮＢに通知するようにしてもよい。図７（１）の例は、ＲＳＲＱの測定が可能な最大キャリア数は「５」である場合の能力情報の一例を示している。
【００４１】
また、別の例として、能力通知部１０４は、例えば図７（２）に示すように、全シンボルＲＳＲＱを広帯域ＲＳＲＱに適用した測定方法を用いた場合に、ユーザ装置ＵＥが同時にＲＳＲＱを測定可能なキャリア数を能力情報に含めて基地局ｅＮＢに通知するようにしてもよい。図７（２）の例は、ＲＳＲＱの測定が可能な最大キャリア数は「４」である場合の能力情報の一例を示している。
【００４２】
また、別の例として、能力通知部１０４は、例えば図７（３）に示すように、広帯域ＲＳＲＱによる測定方法を用いた場合に、ユーザ装置ＵＥが同時にＲＳＲＱを測定可能なキャリア数を能力情報に含めて基地局ｅＮＢに通知するようにしてもよい。図７（３）の例は、ＲＳＲＱの測定が可能な最大キャリア数は「８」である場合の能力情報の一例を示している。
【００４３】
また、別の例として、能力通知部１０４は、例えば図７（４）に示すように、ユーザ装置ＵＥ自身がサポートしているＣＡ能力（すなわち、同時に束ねることが可能なＣＣ数）に応じて、束ねているＣＣ数（ＣＡ処理中のＣＣ数）と、ＲＳＲＱを同時に測定可能なキャリア数とが対応づけられた能力情報を基地局ｅＮＢに通知するようにしてもよい。図７（４）の例は、ＣＡにおいてＣＣを束ねることができる最大のＣＣ数が「４」であり、かつ、全シンボルＲＳＲＱをＲｅｌ９ＲＳＲＱに適用した測定方法（又は全シンボルＲＳＲＱを広帯域ＲＳＲＱに適用した測定方法）によるＲＳＲＱの測定が可能な最大キャリア数が「５」である処理能力を有するユーザ装置ＵＥを仮定した場合に、当該ユーザ装置ＵＥが基地局ｅＮＢ送信する能力情報の一例を示している。図７（４）の例は、ＣＡ中のＣＣ数が増加するに従って、ＲＳＲＱの測定が可能な最大キャリア数が減少することを示している。
【００４４】
ユーザ装置ＵＥは、ＣＡ中のＣＣに対しては必ずＲＳＲＱを測定する必要があるため、束ねているＣＣ数が増加するに従って、他の目的（新たなＳＣｅｌｌ候補の選定や、ハンドオーバ先の候補セルの選定など）のために信号受信品質の測定を同時に行うことができるキャリア数が減少することになる。従って、基地局ｅＮＢは、当該能力情報をユーザ装置ＵＥから受信することで、ＣＡの状態に応じて、全シンボルＲＳＲＱによる測定方法によりＲＳＲＱを測定させることが可能なキャリア数を容易に把握することができる。
【００４５】
また、別の例として、図７（４）のフォーマットのうち最大キャリア数が格納される領域を、広帯域ＲＳＲＱによる測定方法を用いた場合に、ユーザ装置ＵＥが同時にＲＳＲＱを測定可能なキャリア数に置き換えるようにしてもよい。
【００４６】
また、別の例として、能力通知部１０４は、例えば図７（５）に示すように、ユーザ装置ＵＥが同時にＲＳ−ＳＩＮＲを測定可能なキャリア数を能力情報に含めて基地局ｅＮＢに通知するようにしてもよい。図７（５）の例は、ＲＳ−ＳＩＮＲの測定が可能な最大キャリア数は「８」である場合の能力情報の一例を示している。
【００４７】
また、別の例として、能力通知部１０４は、例えば図７（６）に示すように、全シンボルＲＳＲＱをＲｅｌ９ＲＳＲＱに適用した測定方法を用いた場合に、ユーザ装置ＵＥが同時にＲＳＲＱとＲＳ−ＳＩＮＲとを測定可能なキャリア数を能力情報に含めて基地局ｅＮＢに通知するようにしてもよい。図７（６）の例は、ＲＳＲＱとＲＳ−ＳＩＮＲとの測定が可能な最大キャリア数は「４」である場合の能力情報の一例を示している。
【００４８】
また、別の例として、能力通知部１０４は、例えば図７（７）に示すように、全シンボルＲＳＲＱを広帯域ＲＳＲＱに適用した測定方法を用いた場合に、ユーザ装置ＵＥが同時にＲＳＲＱとＲＳ−ＳＩＮＲとを測定可能なキャリア数を能力情報に含めて基地局ｅＮＢに通知するようにしてもよい。図７（７）の例は、ＲＳＲＱとＲＳ−ＳＩＮＲとの測定が可能な最大キャリア数は「４」である場合の能力情報の一例を示している。
【００４９】
また、別の例として、能力通知部１０４は、例えば図７（８）に示すように、広帯域ＲＳＲＱによる測定方法を用いた場合に、ユーザ装置ＵＥが同時にＲＳＲＱとＲＳ−ＳＩＮＲとを測定可能なキャリア数を能力情報に含めて基地局ｅＮＢに通知するようにしてもよい。図７（８）の例は、ＲＳＲＱとＲＳ−ＳＩＮＲとの測定が可能な最大キャリア数は「７」である場合の能力情報の一例を示している。
【００５０】
また、別の例として、図７（４）のフォーマットのうち最大キャリア数が格納される領域を、全シンボルＲＳＲＱをＲｅｌ９ＲＳＲＱに適用した測定方法（又は全シンボルＲＳＲＱを広帯域ＲＳＲＱに適用した測定方法）を用いた場合に、ユーザ装置ＵＥが同時にＲＳＲＱ及びＲＳ−ＳＩＮＲを測定可能なキャリア数に置き換えてもよい。
【００５１】
なお、図７（１）乃至図７（８）に示す能力情報は一例である。基地局ｅＮＢとユーザ装置ＵＥとの間で規定されたフォーマットであれば、能力情報はどのようなフォーマットであってもよい。また、以上図７（１）乃至（８）を用いて説明した能力情報のうち少なくとも２つ以上を組み合わせるようにしてもよい。
【００５２】
ステップＳ１０２で、基地局ｅＮＢのＲＲＣ接続制御部２０３は、ＤＬ信号送信部２０１を介して、測定設定信号をユーザ装置ＵＥに送信する。測定設定信号には、全シンボルＲＳＲＱによる信号受信品質の報告対象である１以上のキャリアを指示する測定設定情報（ｍｅａｓｕｒｅｍｅｎｔ  ｃｏｎｆｉｇｕｒａｔｉｏｎ）が含まれている。
【００５３】
ここで、当該測定設定情報には、測定オブジェクト（Ｍｅａｓｕｒｅｍｅｎｔ  ｏｂｊｅｃｔ）、報告設定情報（Ｒｅｐｏｒｔｉｎｇ  ｃｏｎｆｉｇｕｒａｔｉｏｎ）、及び測定ＩＤ（Ｍｅａｓｕｒｅｍｅｎｔ  ｉｄｅｎｔｉｔｙ）が含まれる。
【００５４】
測定オブジェクトは、測定対象とする周波数（ＥＡＲＦＣＮ）、測定帯域幅等の測定すべき対象を含む。報告設定情報は、報告のトリガ（イベントベース、周期的等）、測定／報告量（ＲＳＲＰ、ＲＳＲＱ）等を含む。測定ＩＤは、測定オブジェクトと報告設定情報とを対応付けるＩＤである。１つの測定オブジェクト（例：１つの周波数）を複数の報告設定情報（例：異なるイベントを設定する場合）に対応付けて、それぞれを測定ＩＤで識別することが可能である。
【００５５】
基地局ｅＮＢのＲＲＣ接続制御部２０３は、サービングセル（在圏中のセル）及び非サービングセル（例えば隣接セル、ＣＡ候補セル等）の中から、ユーザ装置ＵＥに全シンボルＲＳＲＱによる信号受信品質を報告させる１以上のキャリアを、ユーザ装置ＵＥが同時に信号受信品質を測定可能なキャリア数の範囲内に収まるように選択する。また、ＲＲＣ接続制御部２０３は、選択したキャリアを含む測定オブジェクトを生成し、生成した測定オブジェクトを含む測定設定情報をユーザ装置ＵＥに送信する。なお、測定オブジェクトには、図２（ｂ）に示すように、「ｍｅａｓＲＳＲＱ−Ａｌｌｓｙｍｂｏｌ」がＴｒｕｅに設定されて格納されている前提とする。
【００５６】
図２（ｂ）に示す「ｍｅａｓＲＳＲＱ−Ａｌｌｓｙｍｂｏｌ」がＴｒｕｅである場合、現状のＬＴＥ仕様では、ユーザ装置ＵＥは、全ての測定対象のキャリアの信号受信品質の測定を、全シンボルＲＳＲＱにより行うことになる。そこで、本実施の形態における移動通信システムでは、基地局ｅＮＢは、測定対象のキャリアごとに、全シンボルＲＳＲＱをＲｅｌ９ＲＳＲＱに適用した測定方法により信号受信品質の測定を行うのか、全シンボルＲＳＲＱを広帯域ＲＳＲＱに適用した測定方法により信号受信品質の測定を行うのか、Ｒｅｌ９ＲＳＲＱにより信号受信品質の測定を行うのか、又は広帯域ＲＳＲＱにより信号受信品質の測定を行うのかをユーザ装置ＵＥに指定することができるようにしてもよい。
【００５７】
例えば、基地局ｅＮＢのＲＲＣ接続制御部２０３は、測定オブジェクトに、全シンボルＲＳＲＱをＲｅｌ９ＲＳＲＱに適用した測定方法により測定を行うのか、全シンボルＲＳＲＱを広帯域ＲＳＲＱに適用した測定方法により信号受信品質の測定を行うのか、Ｒｅｌ９ＲＳＲＱにより測定を行うのか、又は広帯域ＲＳＲＱにより測定を行うのかを示すパラメータを、測定対象のキャリア単位に設定可能にしてもよい。これにより、基地局ｅＮＢは、基地局ｅＮＢが要求する測定精度に応じて、ユーザ装置ＵＥの処理負荷を軽減させることが可能になる。
【００５８】
ステップＳ１０３で、ユーザ装置ＵＥの測定制御部１０３は、測定設定情報で指定されたキャリアの信号受信品質を全シンボルＲＳＲＱにより測定し、測定結果を含む測定報告情報を、ＵＬ信号送信部１０２を介して基地局ｅＮＢに送信する。
【００５９】
なお、ユーザ装置ＵＥの測定制御部１０３は、測定オブジェクトで、測定対象のキャリアごとに、全シンボルＲＳＲＱをＲｅｌ９ＲＳＲＱに適用した測定方法により信号受信品質の測定を行うのか、全シンボルＲＳＲＱを広帯域ＲＳＲＱに適用した測定方法により信号受信品質の測定を行うのか、Ｒｅｌ９ＲＳＲＱにより信号受信品質の測定を行うのか、又は広帯域ＲＳＲＱにより信号受信品質の測定を行うのかを指定された場合、指定された方法で各キャリアの信号受信品質の測定を行い、測定結果を含む測定報告情報を、ＵＬ信号送信部１０２を介して基地局ｅＮＢに送信する。
【００６０】
図８は、実施の形態に係る移動通信システムが行う具体的なシーケンスを示す図である。このシーケンスは、ユーザ装置ＵＥにおけるアタッチ時に実施されるＲＲＣ接続処理のシーケンスである。このシーケンス自体は従来からあるものである。ただし、図８において、ステップ番号を示したシーケンスにおいて、本実施の形態に特有の新規な情報を含む。具体的には、図６のステップＳ１０１、ステップＳ１０２及びステップＳ１０３は、それぞれ図８のステップＳ２０１、ステップＳ２０２及びステップＳ２０３に相当する。
【００６１】
ステップＳ２０１で、ユーザ装置ＵＥの能力通知部１０４は、ＲＲＣ  ＵＥ  Ｃａｐａｂｉｌｉｔｙ  Ｉｎｆｏｒｍａｔｉｏｎ信号に能力情報を含めて基地局ｅＮＢに送信する。なお、ステップＳ２０１の処理手順で基地局ｅＮＢに通知された能力情報は、ＭＭＥ（Ｍｏｂｉｌｉｔｙ  Ｍａｎａｇｅｍｅｎｔ  Ｅｎｔｉｔｙ）に記憶されるようにしてもよい。また、基地局ｅＮＢは、必要に応じてユーザ装置ＵＥの能力情報をＭＭＥに問い合わせるようにしてもよい。
【００６２】
ステップＳ２０２で、基地局ｅＮＢのＲＲＣ接続制御部２０３は、測定オブジェクトを含む測定設定情報をユーザ装置ＵＥに送信する。
【００６３】
ステップＳ２０３で、ユーザ装置ＵＥの測定制御部１０３は、測定設定情報で指定されたキャリアの信号受信品質を測定し、測定結果を含む測定報告情報を、ＵＬ信号送信部１０２を介して基地局ｅＮＢに送信する。
【００６４】
なお、図８は、ユーザ装置ＵＥにおけるアタッチ時に実施されるＲＲＣ接続処理のシーケンスであるが、基地局ｅＮＢは、アタッチ時以外のタイミングで、ユーザ装置ＵＥに所定のキャリアの信号受信品質を報告させたい場合も想定される。この場合、基地局ｅＮＢは、ステップＳ２０２と同様のＲＲＣ  Ｃｏｎｎｅｃｔｉｏｎ  Ｒｅｃｏｎｆｉｇｕｒａｔｉｏｎ信号を用いて測定オブジェクトを含む測定設定情報をユーザ装置ＵＥに送信し、ステップＳ２０３と同様のＭｅａｓｕｒｅｍｅｎｔ  Ｒｅｐｏｒｔ信号により各キャリアの信号受信品質の測定結果をユーザ装置ＵＥに報告させるようにしてもよい。
【００６５】
＜効果＞
以上、実施の形態における移動通信システムによれば、基地局とユーザ装置とを備える移動通信システムにおいて、前記基地局と通信するユーザ装置であって、前記基地局に、信号受信品質を同時に測定できるキャリア数の能力を示す能力情報を通知する通知手段と、前記基地局から、信号受信品質の報告対象である１以上のキャリアが指定された測定設定情報を受信し、前記測定設定情報に基づいて、前記報告対象である１以上のキャリアの各々の信号受信品質を測定し、測定結果を含む測定報告情報を前記基地局に送信する測定制御手段と、を有するユーザ装置が提供される。この構成により、ユーザ装置ＵＥは、ユーザ装置の処理能力に応じて信号受信品質の測定を行うことが可能になる。
【００６６】
また、前記通知手段は、信号受信品質を同時に測定できるキャリア数を含む前記能力情報、又は、キャリアアグリゲーション処理中のコンポーネントキャリアの数と、信号受信品質を同時に測定可能なキャリア数とが対応づけられた情報を含む前記能力情報を、前記基地局に通知するようにしてもよい。この構成により、基地局ｅＮＢは、ユーザ装置ＵＥのＣＡの状態に応じて、受信品質測定させることが可能なキャリア数を容易に把握することができる。
【００６７】
また、前記信号受信品質を同時に測定できるキャリア数は、所定のリソースブロック数の帯域において全ＯＦＤＭシンボルを用いてＲＳＲＱの測定を行った場合にＲＳＲＱを同時に測定できるキャリア数、所定のリソースブロック数の帯域よりも広いリソースブロック数の帯域において全ＯＦＤＭシンボルを用いてＲＳＲＱの測定を行った場合にＲＳＲＱを同時に測定できるキャリア数、所定のリソースブロック数の帯域よりも広いリソースブロック数の帯域において所定のＯＦＤＭシンボルでＲＳＲＱの測定を行った場合にＲＳＲＱを同時に測定できるキャリア数、ＲＳ−ＳＩＮＲを同時に測定できるキャリア数、所定のリソースブロック数の帯域において全ＯＦＤＭシンボルを用いてＲＳＲＱの測定を行った場合にＲＳＲＱとＲＳ−ＳＩＮＲとを同時に測定できるキャリア数、所定のリソースブロック数の帯域よりも広いリソースブロック数の帯域において全ＯＦＤＭシンボルを用いてＲＳＲＱの測定を行った場合にＲＳＲＱとＲＳ−ＳＩＮＲとを同時に測定できるキャリア数、及び、所定のリソースブロック数の帯域よりも広いリソースブロック数の帯域において所定のＯＦＤＭシンボルでＲＳＲＱの測定を行った場合にＲＳＲＱとＲＳ−ＳＩＮＲとを同時に測定できるキャリア数のうちいずれか1つを含むようにしてもよい。この構成により、ユーザ装置ＵＥは、自身の処理能力をより的確に基地局ｅＮＢに通知することが可能になる。
【００６８】
また、前記測定制御手段は、前記報告対象である１以上のキャリアの各々の信号受信品質を、所定のリソースブロック数の帯域における全ＯＦＤＭシンボル、所定のリソースブロック数の帯域よりも広いリソースブロック数の帯域における全ＯＦＤＭシンボル、又は、所定のリソースブロック数の帯域よりも広いリソースブロック数の帯域において所定のＯＦＤＭシンボルを用いて測定するようにしてもよい。この構成により、ユーザ装置ＵＥは、基地局ｅＮＢから指定されたキャリアの信号受信品質を、他セルからの干渉等を考慮して高精度に測定することが可能になる。
【００６９】
また、前記測定設定情報には、前記報告対象である１以上のキャリアと、前記報告対象である１以上のキャリアの各々に対する信号受信品質の測定方法を示すパラメータとが対応づけられて格納され、前記測定制御手段は、前記パラメータで指定された測定方法に従って、前記報告対象である１以上のキャリアの各々の信号受信品質を測定するようにしてもよい。この構成により、ユーザ装置ＵＥは、キャリアごとに異なる方法で信号受信品質を測定することが可能になる。また、この構成により、ユーザ装置ＵＥは、基地局ｅＮＢが要求する測定精度に応じて、ユーザ装置ＵＥ自身の処理負荷を軽減させることが可能になる。
【００７０】
また、実施の形態における移動通信システムによれば、基地局とユーザ装置とを備える移動通信システムにおいて、前記ユーザ装置と通信する基地局であって、前記ユーザ装置から、前記ユーザ装置が信号受信品質を同時に測定できるキャリア数の能力を示す能力情報を受信する受信手段と、前記能力情報に基づいて、信号受信品質の報告対象である１以上のキャリアを指定する測定設定情報を、前記ユーザ装置に送信する送信手段と、を有する基地局が提供される。この構成により、基地局ｅＮＢは、ユーザ装置ＵＥに対して、ユーザ装置ＵＥの処理能力に応じて信号受信品質を測定させることが可能になる。
【００７１】
また、前記測定設定情報は、所定のリソースブロック数の帯域における全ＯＦＤＭシンボル、所定のリソースブロック数の帯域よりも広いリソースブロック数の帯域における全ＯＦＤＭシンボル、又は、所定のリソースブロック数の帯域よりも広いリソースブロック数の帯域において所定のＯＦＤＭシンボルを用いて信号受信品質の測定を行うことを指示する情報を含むようにしてもよい。この構成により、基地局ｅＮＢは、ユーザ装置ＵＥに対して、キャリアの信号受信品質を、他セルからの干渉等を考慮して高精度に測定させることが可能になる。
【００７２】
また、前記測定設定情報には、前記報告対象である１以上のキャリアと、前記報告対象である１以上のキャリアの各々に対する信号受信品質の測定方法を示すパラメータとが対応づけられて格納されているようにしてもよい。この構成により、基地局ｅＮＢは、ユーザ装置ＵＥに対して、キャリアごとに異なる方法で信号受信品質を測定させることが可能になる。また、この構成により、基地局ｅＮＢは、基地局ｅＮＢが要求する測定精度に応じて、ユーザ装置ＵＥの処理負荷を軽減させることが可能になる。
【００７３】
また、実施の形態における移動通信システムによれば、基地局とユーザ装置とを備える移動通信システムにおける前記ユーザ装置が実行する品質測定方法であって、前記基地局に、信号受信品質を同時に測定できるキャリア数の能力を示す能力情報を通知する通知ステップと、前記基地局から、信号受信品質の報告対象である１以上のキャリアが指定された測定設定情報を受信し、前記測定設定情報に基づいて、前記報告対象である１以上のキャリアの各々の信号受信品質を測定し、測定結果を含む測定報告情報を前記基地局に送信する測定制御ステップと、を有する品質測定方法が提供される。この構成により、ユーザ装置ＵＥは、ユーザ装置の処理能力に応じて信号受信品質の測定を行うことが可能になる。
【００７４】
また、実施の形態における移動通信システムによれば、基地局とユーザ装置とを備える移動通信システムにおける前記基地局が実行する品質測定キャリア指定方法であって、前記ユーザ装置から、前記ユーザ装置が信号受信品質を同時に測定できるキャリア数の能力を示す能力情報を受信する受信ステップと、前記能力情報に基づいて、信号受信品質の報告対象である１以上のキャリアを指定する測定設定情報を、前記ユーザ装置に送信する送信ステップと、を有する品質測定キャリア指定方法が提供される。この構成により、基地局ｅＮＢは、ユーザ装置ＵＥに対して、ユーザ装置ＵＥの処理能力に応じて信号受信品質を測定させることが可能になる。
【００７５】
＜実施形態の補足＞
本実施の形態で説明する各装置（ユーザ装置ＵＥ／基地局ｅＮＢ）の構成は、ＣＰＵとメモリを備える当該装置において、プログラムがＣＰＵ（プロセッサ）により実行されることで実現される構成であってもよいし、本実施の形態で説明する処理のロジックを備えたハードウェア回路等のハードウェアで実現される構成であってもよいし、プログラムとハードウェアが混在していてもよい。
【００７６】
以上、本発明の実施の形態を説明してきたが、開示される発明はそのような実施形態に限定されず、当業者は様々な変形例、修正例、代替例、置換例等を理解するであろう。発明の理解を促すため具体的な数値例を用いて説明がなされたが、特に断りのない限り、それらの数値は単なる一例に過ぎず適切な如何なる値が使用されてもよい。上記の説明における項目の区分けは本発明に本質的ではなく、２以上の項目に記載された事項が必要に応じて組み合わせて使用されてよいし、ある項目に記載された事項が、別の項目に記載された事項に（矛盾しない限り）適用されてよい。機能ブロック図における機能部又は処理部の境界は必ずしも物理的な部品の境界に対応するとは限らない。複数の機能部の動作が物理的には１つの部品で行われてもよいし、あるいは１つの機能部の動作が物理的には複数の部品により行われてもよい。実施の形態で述べたシーケンス及びフローチャートは、矛盾の無い限り順序を入れ替えてもよい。処理説明の便宜上、ユーザ装置ＵＥ及び基地局ｅＮＢは機能的なブロック図を用いて説明されたが、そのような装置はハードウェアで、ソフトウェアで又はそれらの組み合わせで実現されてもよい。本発明の実施の形態に従ってユーザ装置ＵＥが有するプロセッサにより動作するソフトウェア及び本発明の実施の形態に従って基地局ｅＮＢが有するプロセッサにより動作するソフトウェアはそれぞれ、ランダムアクセスメモリ（ＲＡＭ）、フラッシュメモリ、読み取り専用メモリ（ＲＯＭ）、ＥＰＲＯＭ、ＥＥＰＲＯＭ、レジスタ、ハードディスク（ＨＤＤ）、リムーバブルディスク、ＣＤ−ＲＯＭ、データベース、サーバその他の適切な如何なる記憶媒体に保存されてもよい。
【００７７】
本発明は上記実施形態に限定されず、本発明の精神から逸脱することなく、様々な変形例、修正例、代替例、置換例等が本発明に包含される。
【００７８】
なお、実施の形態において、能力通知部１０４は通知手段の一例である。測定制御部１０３は測定制御手段の一例である。ＵＬ信号受信部２０２及びＲＲＣ接続制御部２０３は、受信手段の一例である。ＤＬ信号送信部２０１及びＲＲＣ接続制御部２０３は送信手段の一例である。
【符号の説明】
【００７９】
ｅＮＢ  基地局
ＵＥ    ユーザ装置
１０１  ＤＬ信号受信部
１０２  ＵＬ信号送信部
１０３  測定制御部
１０４  能力通知部
２０１  ＤＬ信号送信部
２０２  ＵＬ信号受信部
２０３  ＲＲＣ接続制御部
【図１】
2016213805.tif 000003
【図２】
2016213805.tif 000004
【図３】
2016213805.tif 000005
【図４】
2016213805.tif 000006
【図５】
2016213805.tif 000007
【図６】
2016213805.tif 000008
【図７】
2016213805.tif 000009
【図８】
2016213805.tif 000010